(57)【要約】      （修正有）【課題】質感を向上させ、騒音を低減させる電源遮断スイッチを提供する。【解決手段】上面１１と、底部と、互いに対向する２つの側面部１２と、該上面から凹入してなる収容空間１３と、該収容空間の内部に設けられる保持部１４と、該保持部の上面に設けられる突出部１４１と、互いに対向するとともに、収容空間に連通される、それぞれ２つの側面部に貫設される２つの旋回穴１５と、電気接続部とを有するベース１０と、収容空間に設けられ、選択的に変形し、湾曲する金属プレートと、ベースに設けられると共に、選択的に突出部に当接され、それぞれ２つの旋回穴に枢設される２つの旋回部３４と、内壁面に設けられる係止部３２１とを有するスイッチボタン３０と、係止部に設けられ、第一端部と、第二端部とを有するホック４０と、ベースの電気接続部と電気接続される電極端子とを有する。【選択図】図１
0003204674.tif 000002
【実用新案登録請求の範囲】
【請求項１】
上面と、底部と、互いに対向する２つの側面部と、該上面から凹入してなる収容空間と、該収容空間の内部に設けられる保持部と、該保持部の上面に設けられる突出部と、互いに対向するとともに、前記収容空間に連通される、それぞれ前記２つの側面部に貫設される２つの旋回穴と、前記底部に設けられる電気接続部とを有するベースと、
第一端と、第二端とを有し、前記収容空間に設けられ、選択的に変形し、湾曲する金属プレートと、
前記ベースに設けられると共に、選択的に前記突出部に当接され、外壁面と、内壁面と、前記外壁面からそれぞれ反対方向へ延出してなると共に、それぞれ前記２つの旋回穴に枢設される２つの旋回部と、前記内壁面に設けられる係止部とを有するスイッチボタンと、
前記係止部に設けられ、前記スイッチボタンに連結される第一端部と、前記金属プレートの第二端に連結される第二端部とを有するホックと、
前記金属プレートの第二端に連結され、選択的に前記係止部に当接されると共に、選択的に前記ベースの電気接続部と電気接続される電極端子とを有することを特徴とする電源遮断スイッチ。
【請求項２】
前記スイッチボタンは、更に、該スイッチボタンの底部に位置すると共に、選択的に前記突出部に当接される底面縁部を有することを特徴とする請求項１に記載の電源遮断スイッチ。
【請求項３】
前記ホックの第一端部は、前記係止部に連結されると共に、前記ホックの第二端部は、前記金属プレートに係止される係止開口を有することを特徴とする請求項１に記載の電源遮断スイッチ。
【請求項４】
前記ホックは、前記係止部に連結される第一端と、前記金属プレートに係止される係止開口を有する第二端とを有することを特徴とする請求項２に記載の電源遮断スイッチ。
【請求項５】
前記ベースは、更に、前記ベースから延出してなると共に、前記収容空間に位置するトレイ部材を有し、前記保持部は、前記トレイ部材に設けられることを特徴とする請求項１に記載の電源遮断スイッチ。
【請求項６】
前記保持部に、前記保持部の上面から、該保持部を貫通して成る貫通孔が形成され、該トレイ部材に、前記保持部の貫通孔に係止される位置決めブロックが設けられることを特徴とする請求項５に記載の電源遮断スイッチ。
【請求項７】
前記ベースは、更に、前記ベースから延出してなると共に、前記収容空間に位置するトレイ部材を有し、前記保持部は、前記トレイ部材に設けられることを特徴とする請求項２に記載の電源遮断スイッチ。
【請求項８】
前記保持部に、前記保持部の上面から、該保持部を貫通して成る貫通孔が形成され、該トレイ部材に、前記保持部の貫通孔に係止される位置決めブロックが設けられることを特徴とする請求項７に記載の電源遮断スイッチ。
【請求項９】
前記保持部の上面に発光部材が設けられることを特徴とする請求項１ないし請求項８のいずれか一項に記載の電源遮断スイッチ。
【請求項１０】
前記発光部材は発光ダイオードであることを特徴とする請求項９に記載の電源遮断スイッチ。
【考案の詳細な説明】
【技術分野】
【０００１】
本考案は、特に部品の衝突を防止することにより、騒音を低減させる電源遮断スイッチに関するものである。
【背景技術】
【０００２】
マルチタップ、又は電気設備には、普通、電源遮断スイッチが設けられる。過電流異常が発生すると、該電源遮断スイッチにより、電源回路を遮断し、電気設備の破損に繋がる過負荷や短絡を防ぐことができる。
【０００３】
図１１、１２に示すように、従来の電源遮断スイッチ９０は、ベース９１と、金属プレート９２と、スイッチボタン９３と、ホック９４と、電極端子９５とを有する。前記ベース９１は、収容空間９１１と、上部開口９１２と、２つの側部開口９１３とを有する。該収容空間９１１は、該ベース９１の上面に陥凹してなるものである。該上部開口９１２は、該ベース９１の上面に形成されるものである。該２つの側部開口９１３は、前記ベース９１の側壁に貫設されると共に、前記収容空間９１１に連通される。該２つの側部開口９１３のうちの１つの側部開口９１３は、該２つの側部開口９１３のもう１つの側部開口９１３に面する。前記金属プレート９２は、両端を有し、該両端のうちの一端は、前記収容空間９１１に位置するように、横向きに前記ベース９１に設けられる。該金属プレート９２の前記両端のもう一端に、前記電極端子９５が設けられる。また、この前記金属プレート９２のもう一端は、選択的に変形することができる可撓性を有する。前記スイッチボタン９３は、２つの旋回部９３１を有し、それらの旋回部９３１は、該スイッチボタン９３の外壁から、横方向へ延出し成形されるものである。また、該スイッチボタン９３は、それらの旋回部９３１により、前記ベース９１の上部開口９１２に位置するように、前記２つの側部開口９１３に枢着される。なお、それらの旋回部９３１は、前記２つの側部開口９１３より小径のものである。前記ホック９４は、前記スイッチボタン９３の側面に設けられ、係止部９４１を有する。該係止部９４１は凹入状を呈し、該ホック９４の下部に位置する、前記金属プレート９２のもう一端に係止することができる。前記電極端子９５は、選択的に電気設備（図示せず）に電気接続することができる。
【０００４】
前記従来の電源遮断スイッチ９０を正常に使用する時、該スイッチボタン９３がオンの位置に位置すると、該金属プレート９２は湾曲せず、平坦形状を保持するので、該電極端子９５と電気設備（図示せず）とが電気接続させられ、該電源遮断スイッチ９０は電流が流れる状態になる。異常な過電流が流れた時に、該金属プレート９２が該過電流の加熱により湾曲し、該電極端子９５と電気設備（図示せず）とが電気接続しなくなるので、該電源遮断スイッチ９０は電流が切断される状態になる。また、該スイッチボタン９３はオフ位置で止まる。これにより、異常な過電流による電気設備の破損を防止することができる。異常な過電流の発生原因を排除した後、該スイッチボタン９３を押して、オン状態にすると、該ホック９４が連動し、該金属プレート９２を平坦形状に復帰させる。該電極端子９５と電気設備（図示せず）とが再び電気接続させられ、該電源遮断スイッチ９０は電流が流れる状態になる。
【０００５】
上述した通り、前記従来の電源遮断スイッチ９０は前記金属プレート９２の変形により動作するものであることがわかる。
【考案の概要】
【考案が解決しようとする課題】
【０００６】
しかしながら、前記金属プレート９２の変形能力は限られているものであることから、前記旋回部９３１はほんの少しだけ該２つの側部開口９１３より小径であった場合、該金属プレート９２の変形能力では、該スイッチボタン９３を回転させてオフ状態にすることができなくなる。すなわち、前記従来の電源遮断スイッチ９０における電気設備を保護する効果が発揮できなくなってしまう。故に、図１２に示すように、前記金属プレート９２に連動できるように、該従来の電源遮断スイッチ９０のスイッチボタン９３の旋回部９３１を該２つの側部開口９１３より著しく小径にし、該スイッチボタン９３を緩やかに該ベース９１に枢設しなくてはならない。
【０００７】
しかし、該スイッチボタン９３が緩やかに該ベース９１に枢設される結果、例えば該従来の電源遮断スイッチ９０を運搬する時、該旋回部９３１が該側部開口９１３へ衝突し、騒音が発生してしまうので、該従来の電源遮断スイッチ９０が故障か破損していると消費者が誤認してしまい、商品の販売に悪影響を与える恐れがある。
【０００８】
そこで、案出されたのが本考案であって、前記消費者に誤認される問題を解消し、質感を向上させ、部品の衝突を防止することにより、騒音を低減させる電源遮断スイッチを提供することを目的としている。
【課題を解決するための手段】
【０００９】
本願の請求項１の考案は、上面と、底部と、互いに対向する２つの側面部と、該上面から凹入してなる収容空間と、該収容空間の内部に設けられる保持部と、該保持部の上面に設けられる突出部と、互いに対向するとともに、前記収容空間に連通される、それぞれ前記２つの側面部に貫設される２つの旋回穴と、前記底部に設けられる電気接続部とを有するベースと、
第一端と、第二端とを有し、前記収容空間に設けられ、選択的に変形し、湾曲する金属プレートと、
前記ベースに設けられると共に、選択的に前記突出部に当接され、外壁面と、内壁面と、前記外壁面からそれぞれ反対方向へ延出してなると共に、それぞれ前記２つの旋回穴に枢設される２つの旋回部と、前記内壁面に設けられる係止部とを有するスイッチボタンと、
前記係止部に設けられ、前記スイッチボタンに連結される第一端部と、前記金属プレートの第二端に連結される第二端部とを有するホックと、
前記金属プレートの第二端に連結され、選択的に前記係止部に当接されると共に、選択的に前記ベースの電気接続部と電気接続される電極端子とを有することを特徴とする電源遮断スイッチ、を提供する。
【００１０】
本願の請求項２の考案は、前記スイッチボタンは、更に、該スイッチボタンの底部に位置すると共に、選択的に前記突出部に当接される底面縁部を有することを特徴とする請求項１に記載の電源遮断スイッチ、を提供する。
【００１１】
本願の請求項３の考案は、前記ホックの第一端部は、前記係止部に連結されると共に、前記ホックの第二端部は、前記金属プレートに係止される係止開口を有することを特徴とする請求項１に記載の電源遮断スイッチ、を提供する。
【００１２】
本願の請求項４の考案は、前記ホックは、前記係止部に連結される第一端と、前記金属プレートに係止される係止開口を有する第二端とを有することを特徴とする請求項２に記載の電源遮断スイッチ、を提供する。
【００１３】
本願の請求項５の考案は、前記ベースは、更に、前記ベースから延出してなると共に、前記収容空間に位置するトレイ部材を有し、前記保持部は、前記トレイ部材に設けられることを特徴とする請求項１に記載の電源遮断スイッチ、を提供する。
【００１４】
本願の請求項６の考案は、前記保持部に、前記保持部の上面から、該保持部を貫通して成る貫通孔が形成され、該トレイ部材に、前記保持部の貫通孔に係止される位置決めブロックが設けられることを特徴とする請求項５に記載の電源遮断スイッチ、を提供する。
【００１５】
本願の請求項７の考案は、前記ベースは、更に、前記ベースから延出してなると共に、前記収容空間に位置するトレイ部材を有し、前記保持部は、前記トレイ部材に設けられることを特徴とする請求項２に記載の電源遮断スイッチ、を提供する。
【００１６】
本願の請求項８の考案は、前記保持部に、前記保持部の上面から、該保持部を貫通して成る貫通孔が形成され、該トレイ部材に、前記保持部の貫通孔に係止される位置決めブロックが設けられることを特徴とする請求項７に記載の電源遮断スイッチ、を提供する。
【００１７】
本願の請求項９の考案は、前記保持部の上面に発光部材が設けられることを特徴とする請求項１ないし請求項８のいずれか一項に記載の電源遮断スイッチ、を提供する。
【００１８】
本願の請求項１０の考案は、前記発光部材は発光ダイオードであることを特徴とする請求項９に記載の電源遮断スイッチ、を提供する。
【考案の効果】
【００１９】
本考案は、前記突出部および前記電極端子が前記スイッチボタンに当接される構成が、前記スイッチボタンにおける前記ベースに対する揺れ、並びにスイッチボタンとベースとの衝突による騒音を低減させ、消費者が故障か破損していると誤認しないように、上記の課題を解決するものである。また、前記保持部の貫通孔に係止される位置決めブロックは、前記保持部とトレイ部材とからなる構成の安定性を向上させる。なお、前記発光部材は本考案に係る電源遮断スイッチのオン状態またはオフ状態を示すように点滅するので、使用者に前記状態を提示することができる。
【図面の簡単な説明】
【００２０】
【図１】本考案に係る電源遮断スイッチの分解斜視図である。
【図２】本考案に係る電源遮断スイッチのオン状態の平面図である。
【図３】本考案に係る電源遮断スイッチのベースの斜視図である。
【図４】本考案に係る電源遮断スイッチにおける前記図２のＡ−Ａ線断面図である。
【図５】本考案に係る電源遮断スイッチにおける前記図２のＢ−Ｂ線断面図である。
【図６】本考案に係る電源遮断スイッチにおける前記図５のＣ−Ｃ線断面図である。
【図７】本考案に係る電源遮断スイッチのスイッチボタンがオン状態の側面図である。
【図８】本考案に係る電源遮断スイッチのオフ状態の平面図である。
【図９】本考案に係る電源遮断スイッチにおける前記図８のＤ−Ｄ線断面図である。
【図１０】本考案に係る電源遮断スイッチのスイッチボタンがオフ状態の側面図である。
【図１１】従来の電源遮断スイッチの分解斜視側面図である。
【図１２】従来の電源遮断スイッチの側面図である。
【考案を実施するための形態】
【００２１】
図１ないし図６に示すように、本考案に係る電源遮断スイッチは、ベース１０と、金属プレート２０と、スイッチボタン３０と、ホック４０と、電極端子５０とを有する。
【００２２】
図１、図２および図４に示すように、前記ベース１０は、上面１１と、底部と、互いに対向する２つの側面部１２と、該上面１１から凹入してなる収容空間１３と、該収容空間１３の内部に設けられる保持部１４と、該保持部１４の上面に設けられる突出部１４１と、互いに対向するとともに、前記収容空間１３に連通される、それぞれ前記２つの側面部１２に貫設される２つの旋回穴１５と、前記底部に設けられると共に、前記収容空間１３に位置する電気接続部１６と、前記ベース１０の側面部１２から延出してなると共に、前記収容空間１３に位置するトレイ部材１７とを有する。前記ベース１０の上面１１の両側は、前記２つの側面部１２に連結される。前記突出部１４１は、該保持部１４の上面から延出してなるものであっても良い。また、前記保持部１４の上面に発光部材１４２が設けられ、前記発光部材１４２は、本考案に係る電源遮断スイッチのオン状態またはオフ状態を示すように点滅する発光ダイオードであっても良い。なお、前記保持部１４の上面から、該保持部１４を貫通して成る貫通孔１４３が形成される。図１、図３ないし図５に示すように、前記保持部１４は、前記トレイ部材１７に設けられても良い。また、該トレイ部材１７に、前記保持部１４の貫通孔１４３に係止される位置決めブロック１７１が設けられる。また、前記２つの旋回穴１５はそれぞれ開口を有し、１つの旋回穴１５の開口は、もう１つの旋回穴１５の開口に面する。また、前記電気接続部１６は、電気設備（図示せず）との電気接続に供するものである。
【００２３】
図４ないし図６に示すように、前記金属プレート２０は、前記ベース１０に設けられる第一端と、第二端とを有し、前記収容空間に設けられ、選択的に変形し、湾曲するものである。
【００２４】
図１、図４ないし図６に示すように、前記スイッチボタン３０は、外壁面３１と、内壁面３２と、該スイッチボタン３０の底部に位置すると共に、特に図４ないし図６に示すように、選択的に前記突出部１４１に当接される底面縁部３３と、前記外壁面３１からそれぞれ反対方向へ延出してなると共に、それぞれ前記２つの旋回穴１５に枢設される２つの旋回部３４と、前記内壁面３２に設けられる係止部３２１とを有する。前記スイッチボタン３０は、前記ベース１０に設けられると共に、選択的に前記突出部１４１に当接され、前記旋回部３４を軸として、該ベース１０に対して回動することができるものである。
【００２５】
図１および図６に示すように、前記ホック４０は、前記収容空間１３に位置し、前記スイッチボタン３０の係止部３２１に連結される第一端部と、前記金属プレート２０に係止される係止開口４１を有する第二端部とを有する。前記構成により、該ホック４０は、前記スイッチボタン３０および前記金属プレート２０と連動できるようになる。
【００２６】
図４ないし図６に示すように、前記電極端子５０は、前記金属プレート２０の第二端に連結され、選択的に前記係止部３２１における前記内壁面３２に面する側に当接されると共に、選択的に前記ベース１０の電気接続部１６と電気接続される。
【００２７】
図４ないし図７に示すように、電気設備（図示せず）が正常に作動する時、該スイッチボタン３０はオン状態になり、前記金属プレート２０は平坦形状を呈し、該電極端子５０と該電気接続部１６とは互いに電気接続されるので、本考案に係る電源遮断スイッチ１はオン状態になる。前記突出部１４１は前記スイッチボタン３０の底面縁部３３に当接し、該スイッチボタン３０へ上向きの作動力を与える。該スイッチボタン３０の旋回部３４は、前記作動力により、前記旋回穴１５の上縁に当接する。これにより、前記ベース１０に対する該スイッチボタン３０の揺れを低減させることができる。
【００２８】
図８ないし図１０に示すように、本考案に係る電源遮断スイッチ１に異常な過電流が流れた時、該金属プレート２０は、該異常な過電流の加熱により、湾曲変形することから、該電極端子５０と該電気接続部１６とは離れ、電気接続がなくなるので、該電源遮断スイッチ１はオフ状態になる。また、該変形している金属プレート２０は、前記スイッチボタン３０がオフ状態になるように、該スイッチボタン３０へ付勢し、前記旋回部３４を軸として回動させる。この場合、該電極端子５０は前記係止部３２１における前記内壁面３２に面する側に当接するようになり、該スイッチボタン３０の旋回部３４は前記旋回穴１５の上縁に当接することから、前記ベース１０に対する該スイッチボタン３０の揺れを低減させることができる。
【産業上の利用可能性】
【００２９】
本考案は上記の構成を有するので、前記突出部１４１および前記電極端子５０が上方に向かって前記スイッチボタン３０に当接することにより、該スイッチボタン３０へ上向きの作動力を与える。該作動力を受けるスイッチボタン３０の旋回部３４は、継続的に前記ベース１０の旋回穴１５の上縁に当接するようになり、前記ベース１０に対する該スイッチボタン３０の揺れを低減させることから、揺れによる騒音を低減することができる。よって、該従来の電源遮断スイッチが故障か破損していると消費者が誤認してしまい、商品の販売に悪影響を与える問題を解消し、商品の質感を向上させる電源遮断スイッチを提供することができる。
【符号の説明】
【００３０】
１      電源遮断スイッチ
１０    ベース
１１    上面
１２    側面
１３    収容空間
１４    保持部
１４１  突出部
１４２  発光部材
１４３  貫通孔
１５    旋回穴
１６    電気接続部
１７    トレイ部材
１７１  位置決めブロック
２０    金属プレート
３０    スイッチボタン
３１    外壁面
３２    内壁面
３２１  係止部
３３    底面縁部
３４    旋回部
４０    ホック
４１    係止開口
５０    電極端子
【図１】
0003204674.tif 000003
【図２】
0003204674.tif 000004
【図３】
0003204674.tif 000005
【図４】
0003204674.tif 000006
【図５】
0003204674.tif 000007
【図６】
0003204674.tif 000008
【図７】
0003204674.tif 000009
【図８】
0003204674.tif 000010
【図９】
0003204674.tif 000011
【図１０】
0003204674.tif 000012
【図１１】
0003204674.tif 000013
【図１２】
0003204674.tif 000014